(57)【要約】【課題】映像装置に鉄が付着することを抑制する。【解決手段】開口Ｈ１１および開口Ｈ１２は、映像装置２０を冷却するための風Ｗｄ１が、開口Ｈ１１、筐体１０１の内部、および、開口Ｈ１２の順で通過するように、筐体１０１に設けられる。磁力を有する磁力部材ＭＧ１０は、筐体１０１の内部において、風Ｗｄ１が通過する気流経路Ｐｔのうち、映像装置２０より上流側の位置に設けられる。【選択図】図３
2017021141.tif 000002
【特許請求の範囲】
【請求項１】
映像を表示する映像装置を収容する筐体である映像装置用筐体であって、
前記映像装置用筐体は、
磁力を有する磁力部材を備え、
前記映像装置用筐体には、吸気用の第１開口と、排気用の第２開口とが設けられ、
前記第１開口および前記第２開口は、前記映像装置を冷却するための風が、当該第１開口、前記映像装置用筐体の内部、および、当該第２開口の順で通過するように、当該映像装置用筐体に設けられ、
前記磁力部材は、前記映像装置用筐体の内部において、前記風が通過する経路である気流経路のうち、前記映像装置より上流側の位置に設けられる
映像装置用筐体。
【請求項２】
前記映像装置用筐体は、さらに、
前記気流経路を通過する前記風に対してフィルターとして機能するフィルターボックスを備え、
前記フィルターボックスは、前記気流経路のうち、前記映像装置より上流側の位置に設けられ、
前記磁力部材は、前記フィルターボックスの内部に設けられる
請求項１に記載の映像装置用筐体。
【請求項３】
前記映像装置用筐体は、当該映像装置用筐体に対し前記フィルターボックスが着脱自在なように構成される
請求項２に記載の映像装置用筐体。
【請求項４】
前記気流経路のうち、前記磁力部材より上流側の位置には、前記風が通過する第１空間が設けられ、
前記第１空間には、前記風の一部が接触する第１プレートと、当該風の別の一部が接触する第２プレートが設けられ、
平面視において、前記第１プレートおよび前記第２プレートは、対向するように設けられる
請求項１から３のいずれか１項に記載の映像装置用筐体。
【請求項５】
前記磁力部材は、シート状の第１磁力シートと、シート状の第２磁力シートとから構成される
請求項１から４のいずれか１項に記載の映像装置用筐体。
【請求項６】
前記第１磁力シートには、前記風が通過するための第１開口が設けられ、
前記第２磁力シートには、前記風が通過するための第２開口が設けられ、
前記第１磁力シートおよび前記第２磁力シートは、間隔をあけて、前記気流経路に設けられる
請求項５に記載の映像装置用筐体。
【請求項７】
前記第１磁力シートには、シート状の第１磁性体が貼り付けられ、
前記第２磁力シートには、シート状の第２磁性体が貼り付けられ、
前記第１磁性体には、前記風が通過するための第３開口が設けられ、
前記第２磁性体には、前記風が通過するための第４開口が設けられ、
平面視において、前記第１開口は前記第３開口より小さく、
平面視において、前記第２開口は前記第４開口より小さい
請求項６に記載の映像装置用筐体。
【請求項８】
前記第１開口の形状は、長尺状であり、
前記第２開口の形状は、長尺状であり、
平面視において、前記第１開口の長辺と、前記第２開口の長辺とは交差する
請求項６または７に記載の映像装置用筐体。
【請求項９】
前記第１開口および前記第２開口の各々の形状は、円であり、
前記第３開口および前記第４開口の各々の形状は、円である
請求項７に記載の映像装置用筐体。
【請求項１０】
前記映像装置用筐体は、さらに
磁力を有する別の磁力部材を備え、
前記別の磁力部材は、前記映像装置用筐体の内部において、前記風が通過する経路である気流経路のうち、前記映像装置より下流側の位置に設けられる
請求項１から９のいずれか１項に記載の映像装置用筐体。
【請求項１１】
前記映像装置用筐体は、さらに、
前記気流経路を通過する前記風に対してフィルターとして機能する別のフィルターボックスを備え、
前記別のフィルターボックスは、前記気流経路のうち、前記映像装置より下流側の位置に設けられ、
前記別の磁力部材は、前記別のフィルターボックスの内部に設けられる
請求項１０に記載の映像装置用筐体。
【請求項１２】
前記映像装置用筐体は、当該映像装置用筐体に対し前記別のフィルターボックスが着脱自在なように構成される
請求項１１に記載の映像装置用筐体。
【請求項１３】
前記気流経路のうち、前記別の磁力部材より下流側の位置には、風が通過する第２空間が設けられ、
前記第２空間には、前記風の一部が接触する第３プレートと、当該風の別の一部が接触する第４プレートが設けられ、
平面視において、前記第３プレートおよび前記第４プレートは、対向するように設けられる
請求項１０から１２のいずれか１項に記載の映像装置用筐体。
【請求項１４】
前記別の磁力部材は、シート状の第３磁力シートと、シート状の第４磁力シートとから構成される
請求項１０から１３のいずれか１項に記載の映像装置用筐体。
【請求項１５】
前記第３磁力シートには、前記風が通過するための第５開口が設けられ、
前記第４磁力シートには、前記風が通過するための第６開口が設けられ、
前記第３磁力シートおよび前記第４磁力シートは、間隔をあけて、前記気流経路に設けられる
請求項１４に記載の映像装置用筐体。
【請求項１６】
前記第３磁力シートには、シート状の第３磁性体が貼り付けられ、
前記第４磁力シートには、シート状の第４磁性体が貼り付けられ、
前記第３磁性体には、前記風が通過するための第７開口が設けられ、
前記第４磁性体には、前記風が通過するための第８開口が設けられ、
平面視において、前記第５開口は前記第７開口より小さく、
平面視において、前記第６開口は前記第８開口より小さい
請求項１５に記載の映像装置用筐体。
【請求項１７】
前記第５開口の形状は、長尺状であり、
前記第６開口の形状は、長尺状であり、
平面視において、前記第５開口の長辺と、前記第６開口の長辺とは交差する
請求項１５または１６に記載の映像装置用筐体。
【請求項１８】
前記第５開口および前記第６開口の各々の形状は、円であり、
前記第７開口および前記第８開口の各々の形状は、円である
請求項１６に記載の映像装置用筐体。
【請求項１９】
請求項１から１８のいずれか１項に記載の映像装置用筐体を含む映像表示システムであって、
前記映像表示システムは、前記映像装置用筐体に収容される前記映像装置を利用して前記映像を表示する
映像表示システム。
【発明の詳細な説明】
【技術分野】
【０００１】
本発明は、粉塵対策のための構造を有する映像装置用筐体および映像表示システムに関する。
【背景技術】
【０００２】
近年、壁面を利用した広告では、電飾版の代わりに、大画面を有する大型映像装置を用いた広告が広く導入されている。当該大型映像装置は、液晶、ＬＥＤ（Light Emitting Diode）等を使用した映像装置である。大型映像装置は、１台の映像装置を使用した単体構成、または、複数の映像装置を使用した複数構成（マルチビジョン）で実現される。当該大型映像装置で使用される映像装置は、例えば、薄型のディスプレイである。また、当該大型映像装置で使用される映像装置の画面のサイズは、例えば、４０〜６０インチ程度である。
【０００３】
大型映像装置は、例えば、当該大型映像装置を壁に埋め込むことにより、当該大型映像装置が設置される。また、大型映像装置は、例えば、壁面に設けられた筐体に収容されることにより、当該大型映像装置が設置される。
【０００４】
当該大型映像装置が設置される場所は、例えば、多数の通行人などが通る場所、鉄道、地下鉄道等のプラットホーム等である。プラットホームでは、当該プラットホームの近傍を、電車が通過する。そのため、プラットホームの環境は、過酷な環境である。当該過酷な環境とは、温度の大きな変化、粉塵の発生、気圧の大きな変化等が発生する環境である。
【０００５】
プラットホーム等に設置される大型映像装置は、前述の過酷な環境においても正常に動作することが求められる。そのため、当該大型映像装置を、当該過酷な環境においても正常に動作するように構成された装置とする方策、または、当該大型映像装置が過酷な環境においても正常に動作するように構成された筐体に、当該大型映像装置を収容する方策等が採用される。
【０００６】
一般的な映像装置は、前述の過酷な環境において正常に動作することができない。そのため、一般的には、映像装置を筐体により保護する方策が採用される場合が多い。なお、当該方策では、筐体の内部の温度が、映像装置の発熱により、上昇する。そのため、温度上昇による、映像装置の故障を防止するために、当該映像装置を冷却する必要がある。
【０００７】
なお、プラットホームでは、粉塵等が浮遊する。そのため、粉塵による装置の故障を抑制することが求められる。
【０００８】
特許文献１では、乗客コンベア（エスカレーター）を制御する制御盤における防塵のための技術（以下、「関連技術Ａ」ともいう）が開示されている。
【先行技術文献】
【特許文献】
【０００９】
【特許文献１】特開２００９−１０７７３７号公報
【発明の概要】
【発明が解決しようとする課題】
【００１０】
なお、プラットホームにおいて浮遊する粉塵には、電車がレールを走行することにより発生する鉄粉が含まれる場合がある。鉄粉が、映像装置の内部の電気回路に触れた場合、映像装置（電気回路）が故障する可能性が高い。関連技術Ａでは、このような問題を解決することができない。
【００１１】
本発明は、このような問題を解決するためになされたものであり、映像装置に鉄が付着することを抑制することが可能な映像装置用筐体を提供することを目的とする。
【課題を解決するための手段】
【００１２】
上記目的を達成するために、本発明の一態様に係る映像装置用筐体は、映像を表示する映像装置を収容する筐体である。前記映像装置用筐体は、磁力を有する磁力部材を備え、前記映像装置用筐体には、吸気用の第１開口と、排気用の第２開口とが設けられ、前記第１開口および前記第２開口は、前記映像装置を冷却するための風が、当該第１開口、前記映像装置用筐体の内部、および、当該第２開口の順で通過するように、当該映像装置用筐体に設けられ、前記磁力部材は、前記映像装置用筐体の内部において、前記風が通過する経路である気流経路のうち、前記映像装置より上流側の位置に設けられる。
【発明の効果】
【００１３】
本発明によれば、第１開口および第２開口は、映像装置を冷却するための風が、当該第１開口、映像装置用筐体の内部、および、当該第２開口の順で通過するように、当該映像装置用筐体に設けられる。磁力を有する磁力部材は、前記映像装置用筐体の内部において、前記風が通過する気流経路のうち、前記映像装置より上流側の位置に設けられる。
【００１４】
これにより、仮に、第１開口から、映像装置用筐体の内部に鉄粉が侵入したとしても、映像装置に鉄（鉄粉）が付着することを抑制することができる。
【図面の簡単な説明】
【００１５】
【図１】本発明の実施の形態１に係る映像表示システムの外観を示す斜視図である。
【図２】本発明の実施の形態１に係る映像表示システムの断面図である。
【図３】本発明の実施の形態１に係るフィルターボックスの構成を説明するための図である。
【図４】本発明の実施の形態１に係るフィルターボックスの構成を説明するための図である。
【図５】本発明の実施の形態２に係るフィルターボックスの構成を説明するための図である。
【発明を実施するための形態】
【００１６】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１７】
なお、実施の形態において例示される各構成要素の寸法、材質、形状、当該各構成要素の相対配置などは、本発明が適用される装置の構成、各種条件等により適宜変更されてもよい。また、各図における各構成要素の寸法は、実際の寸法と異なる場合がある。
【００１８】
＜実施の形態１＞
図１は、本発明の実施の形態１に係る映像表示システム１００の外観を示す斜視図である。また、図１は、映像表示システム１００で使用される後述の筐体１０１の外観を示す図でもある。
【００１９】
図１において、Ｘ方向、Ｙ方向およびＺ方向の各々は、互いに直交する。以下の図に示されるＸ方向、Ｙ方向およびＺ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００２０】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００２１】
映像表示システム１００は、映像を表示するシステムである。映像表示システム１００は、例えば、広告用の映像を表示する。映像表示システム１００は、例えば、地下鉄のプラットホームにおける、柱、壁等に設置される。図１では、映像表示システム１００が、壁ＷＬに固定されている状態を示す。
【００２２】
図２は、本発明の実施の形態１に係る映像表示システム１００の断面図である。具体的には、図２は、図１のＡ１−Ａ２線に沿った、映像表示システム１００の断面図である。
【００２３】
図１および図２を参照して、映像表示システム１００は、筐体１０１と、６台の映像装置２０と、３個のフィルターボックスＦＬＢｂと、３個のフィルターボックスＦＬＢｕと、ファンＦＮ１とを含む。
【００２４】
６台の映像装置２０は、図１のように、行列状に配置される。すなわち、６台の映像装置２０は、マルチビジョンを構成する。映像装置２０は、映像を表示する装置である。映像装置２０は、例えば、液晶ディスプレイである。なお、映像装置２０は、液晶ディスプレイに限定されず、例えば、有機ＥＬディスプレイであってもよい。
【００２５】
各映像装置２０は、画面２０ｓを有する。各映像装置２０は、当該映像装置２０が有する画面２０ｓに映像を表示する。当該各映像装置２０により構成されるマルチビジョンは、６個の画面２０ｓが行列状に配置されて構成される１つの画面（マルチ画面）を有する。なお、各画面２０ｓは、ガラスＧＬ１により覆われる（保護される）。なお、ガラスＧＬ１は、各画面２０ｓに表示される映像が見えるように、透明なガラスで構成される。
【００２６】
筐体１０１は、複数のボルト７により、壁ＷＬに固定される。筐体１０１は、各映像装置２０を収容する映像装置用筐体である。なお、映像表示システム１００は筐体１０１に収容される各映像装置２０を利用して映像を表示する。各映像装置２０は、金具１２により、筐体１０１に固定される。筐体１０１の下部には、３個の開口Ｈ１１が設けられる。また、筐体１０１の上部には、３個の開口Ｈ１２が設けられる。
【００２７】
なお、映像表示システム１００に含まれる映像装置２０の数は、６に限定されず、１から５のいずれか、または、７以上であってもよい。また、筐体１０１に設けられる開口Ｈ１１の数は、３に限定されず、１、２のいずれか、または、４以上であってもよい。また、筐体１０１に設けられる開口Ｈ１２の数は、３に限定されず、１、２のいずれか、または、４以上であってもよい。
【００２８】
以下においては、映像装置２０を冷却するための風を、「風Ｗｄ１」ともいう。筐体１０１には、当該筐体１０１の内部に風Ｗｄ１が通過するように、開口Ｈ１１，開口Ｈ１２が設けられる。開口Ｈ１１は、吸気用の開口である。開口Ｈ１２は、排気用の開口である。
【００２９】
具体的には、開口Ｈ１１および開口Ｈ１２は、風Ｗｄ１が、当該開口Ｈ１１、筐体１０１の内部、および、当該開口Ｈ１２の順で通過するように、当該筐体１０１に設けられる。すなわち、風Ｗｄ１は、筐体１０１の下部から、Ｚ方向に進む。風Ｗｄ１が、筐体１０１の内部を通過することにより、各映像装置２０は冷却される。
【００３０】
以下においては、筐体１０１の内部において、風Ｗｄ１が通過する経路を、「気流経路Ｐｔ」ともいう。気流経路Ｐｔは、例えば、図２の筐体１０１において、開口Ｈ１１から開口Ｈ１２までの経路である。なお、図２に示される金具１２は、当該金具１２が気流経路Ｐｔを通過する風Ｗｄ１をさえぎらないように、筐体１０１の内部に設けられる。
【００３１】
また、筐体１０１は、フィルターボックスＦＬＢｂを収容する。図３は、本発明の実施の形態１に係るフィルターボックスＦＬＢｂの構成を説明するための図である。図３（ａ）は、フィルターボックスＦＬＢｂを拡大して示す図である。具体的には、図３（ａ）は、図２の領域Ｒ１を拡大した図である。フィルターボックスＦＬＢｂは、風Ｗｄ１が、当該フィルターボックスＦＬＢｂの内部をＺ方向へ通過可能なように構成される。図３（ｂ）は、フィルターボックスＦＬＢｂに含まれる各構成要素の分解斜視図である。
【００３２】
フィルターボックスＦＬＢｂは、気流経路Ｐｔに設けられる。フィルターボックスＦＬＢｂは、気流経路Ｐｔを通過する風Ｗｄ１に対してフィルターとして機能する。
【００３３】
フィルターボックスＦＬＢｂは、図２および図３（ａ）のように、気流経路Ｐｔのうち、映像装置２０より上流側の位置に設けられる。筐体１０１は、当該筐体１０１に対しフィルターボックスＦＬＢｂが着脱自在なように構成される。
【００３４】
具体的には、筐体１０１の下部には、図１のように、３つの開口Ｈ２１が設けられる。各開口Ｈ２１の形状は、矩形状である。なお、筐体１０１に設けられる開口Ｈ２１の数は、３に限定されず、１、２または４以上であってもよい。また、筐体１０１に設けられるフィルターボックスＦＬＢｂの数は、筐体１０１に設けられる開口Ｈ２１の数と同じである。すなわち、筐体１０１に設けられるフィルターボックスＦＬＢｂの数は、３に限定されず、１、２または４以上であってもよい。
【００３５】
ＸＺ面におけるフィルターボックスＦＬＢｂのサイズは、ＸＺ面における開口Ｈ２１のサイズより小さい。また、フィルターボックスＦＬＢｂは、３つの開口Ｈ２１のいずれかを通過可能な位置に設けられる。例えば、図２のフィルターボックスＦＬＢｂは、図１の３つの開口Ｈ２１のうち、右側の開口Ｈ２１を通過可能なように、筐体１０１に設けられる。そのため、フィルターボックスＦＬＢｂは、開口Ｈ２１を通過して、Ｙ軸方向へ移動可能である。以上により、筐体１０１は、当該筐体１０１に対しフィルターボックスＦＬＢｂが着脱自在なように構成される。
【００３６】
次に、フィルターボックスＦＬＢｂの構成について説明する。図３（ａ）および図３（ｂ）を参照して、フィルターボックスＦＬＢｂは、フィルターＦＬ１と、磁力部材ＭＧ１０と、磁性体３２，３４と、ケースＣｆ１とを含む。
【００３７】
ケースＣｆ１は、フィルターＦＬ１と、磁力部材ＭＧ１０と、磁性体３２，３４とを収容するケース（外郭）である。ケースＣｆ１は、フィルターボックスＦＬＢｂの外側面に相当する。
【００３８】
フィルターＦＬ１は、気流経路Ｐｔを通過する風Ｗｄ１に対してフィルターとして機能する。フィルターＦＬ１は、例えば、風Ｗｄ１に含まれる綿埃、大き目の粉塵等は当該フィルターＦＬ１を通過せず、風Ｗｄ１に含まれる微小な鉄粉は当該フィルターＦＬ１を通過するように構成される。フィルターＦＬ１を構成する材料は、例えば、繊維である。
【００３９】
磁力部材ＭＧ１０は、磁力を有する部材である。磁力部材ＭＧ１０は、例えば、ボンド磁石である。ボンド磁石は、柔軟性を有する磁石である。ボンド磁石は、微小な磁石と、ゴム、プラスチック等とが混合された磁石である。ボンド磁石は、安価な磁石である。
【００４０】
磁力部材ＭＧ１０は、ケースＣｆ１の内部に設けられる。すなわち、磁力部材ＭＧ１０は、フィルターボックスＦＬＢｂの内部に設けられる。前述したように、フィルターボックスＦＬＢｂは、気流経路Ｐｔのうち、映像装置２０より上流側の位置に設けられる。そのため、フィルターボックスＦＬＢｂの磁力部材ＭＧ１０は、筐体１０１の内部において、気流経路Ｐｔのうち、映像装置２０より上流側の位置に設けられる。
【００４１】
磁力部材ＭＧ１０は、磁力シートＭＧ１１と、磁力シートＭＧ１２とから構成される。磁力シートＭＧ１１，ＭＧ１２の各々の形状は、シート状（板状）である。磁力シートＭＧ１１，ＭＧ１２の各々は、例えば、シート状のボンド磁石である。シート状のボンド磁石は、例えば、当該ボンド磁石の垂直方向（Ｚ軸方向）において強い磁場を形成するように、構成される。また、シート状のボンド磁石は、例えば、当該ボンド磁石の製造中における磁場配向において、磁気特性を高めるための異方性化処理が行われることにより製造される。
【００４２】
磁力シートＭＧ１１および磁力シートＭＧ１２は、ケースＣｆ１の内部において、間隔をあけて設けられる。前述したように、フィルターボックスＦＬＢｂは、気流経路Ｐｔに設けられる。そのため、磁力シートＭＧ１１および磁力シートＭＧ１２は、間隔をあけて、気流経路Ｐｔに設けられる。
【００４３】
磁力シートＭＧ１１には、風Ｗｄ１が通過するための、複数の開口Ｈｍ１（スリット）が設けられる。各開口Ｈｍ１の形状は、長尺状である。なお、磁力シートＭＧ１１に設けられる開口Ｈｍ１の数は、１であってもよい。
【００４４】
磁力シートＭＧ１２には、風Ｗｄ１が通過するための、複数の開口Ｈｍ２（スリット）が設けられる。各開口Ｈｍ２の形状は、長尺状である。なお、磁力シートＭＧ１２に設けられる開口Ｈｍ２の数は、１であってもよい。
【００４５】
また、磁力シートＭＧ１１，ＭＧ１２は、平面視（ＸＹ面）において、開口Ｈｍ１と開口Ｈｍ２とが交差するように、設けられる。すなわち、平面視（ＸＹ面）において、開口Ｈｍ１および開口Ｈｍ２は、格子状に設けられる。つまり、平面視（ＸＹ面）において、開口Ｈｍ１の長辺と、開口Ｈｍ２の長辺とは交差する。
【００４６】
磁性体３２，３４の各々の形状は、シート状（板状）である。磁性体３２，３４の各々は、例えば、鉄である。
【００４７】
磁性体３２には、風Ｗｄ１が通過するための、複数の開口Ｈｎ１（スリット）が設けられる。各開口Ｈｎ１の形状は、長尺状である。なお、磁性体３２に設けられる開口Ｈｎ１の数は、１であってもよい。
【００４８】
磁性体３４には、風Ｗｄ１が通過するための、複数の開口Ｈｎ２（スリット）が設けられる。各開口Ｈｎ２の形状は、長尺状である。なお、磁性体３４に設けられる開口Ｈｎ２の数は、１であってもよい。
【００４９】
平面視（ＸＹ面）において、磁力シートＭＧ１１の開口Ｈｍ１の短辺（幅）は、磁性体３２の開口Ｈｎ１の短辺（幅）より小さい。すなわち、平面視（ＸＹ面）において、開口Ｈｍ１は、開口Ｈｎ１より小さい。
【００５０】
平面視（ＸＹ面）において、磁力シートＭＧ１２の開口Ｈｍ２の短辺（幅）は、磁性体３４の開口Ｈｎ２の短辺（幅）より小さい。すなわち、平面視（ＸＹ面）において、開口Ｈｍ２は、開口Ｈｎ２より小さい。
【００５１】
磁力シートＭＧ１１には、当該磁力シートＭＧ１１の磁力により、磁性体３２が貼り付けられる。また、風Ｗｄ１が、開口Ｈｍ１および開口Ｈｎ１の両方を通過可能なように、磁力シートＭＧ１１には磁性体３２が貼り付けられる。すなわち、開口Ｈｍ１全体と、開口Ｈｎ１全体とがふさがれないように、磁力シートＭＧ１１には磁性体３２が貼り付けられる。なお、磁力シートＭＧ１１は、気流経路Ｐｔのうち、当該磁性体３２より上流側の位置に設けられる。
【００５２】
磁力シートＭＧ１２には、当該磁力シートＭＧ１２の磁力により、磁性体３４が貼り付けられる。また、風Ｗｄ１が、開口Ｈｍ２および開口Ｈｎ２の両方を通過可能なように、磁力シートＭＧ１２には磁性体３４が貼り付けられる。すなわち、開口Ｈｍ２全体と、開口Ｈｎ２全体とがふさがれないように、磁力シートＭＧ１２には磁性体３４が貼り付けられる。なお、磁力シートＭＧ１２は、気流経路Ｐｔのうち、当該磁性体３４より上流側の位置に設けられる。
【００５３】
また、筐体１０１の内部には、風Ｗｄ１が通過する空間ＳＰ１が設けられる。すなわち、空間ＳＰ１は、風Ｗｄ１が通過する風路である。空間ＳＰ１は、気流経路Ｐｔのうち、磁力部材ＭＧ１０より上流側の位置に設けられる。
【００５４】
空間ＳＰ１は、当該空間ＳＰ１を通過する風の速度を低下させるように構成される。当該風は、風Ｗｄ１である。具体的には、空間ＳＰ１には、プレートＰＬ１，ＰＬ２が設けられる。プレートＰＬ１は、風Ｗｄ１の一部が接触するように設けられる。プレートＰＬ２は、風Ｗｄ１の別の一部が接触するように設けられる。すなわち、空間ＳＰ１には、風Ｗｄ１の一部が接触するプレートＰＬ１と、風Ｗｄ１の別の一部が接触するプレートＰＬ２が設けられる。また、平面視（ＸＹ面）において、プレートＰＬ１およびプレートＰＬ２は、対向するように設けられる。
【００５５】
また、筐体１０１は、フィルターボックスＦＬＢｕを収容する。図４は、本発明の実施の形態１に係るフィルターボックスＦＬＢｕの構成を説明するための図である。図４（ａ）は、フィルターボックスＦＬＢｕを拡大して示す図である。具体的には、図４（ａ）は、図２の領域Ｒ２を拡大した図である。フィルターボックスＦＬＢｕは、風Ｗｄ１が、当該フィルターボックスＦＬＢｕの内部をＺ方向へ通過可能なように構成される。図４（ｂ）は、フィルターボックスＦＬＢｕに含まれる各構成要素の分解斜視図である。
【００５６】
なお、ファンＦＮ１は、フィルターボックスＦＬＢｕに隣接するように設けられる。ファンＦＮ１は、風Ｗｄ１がフィルターボックスＦＬＢｕおよび開口Ｈ１２を通過するように、当該風Ｗｄ１を開口Ｈ１２の方向へ送る。
【００５７】
フィルターボックスＦＬＢｕは、気流経路Ｐｔに設けられる。フィルターボックスＦＬＢｕは、気流経路Ｐｔを通過する風Ｗｄ１に対してフィルターとして機能する。
【００５８】
フィルターボックスＦＬＢｕは、図２および図４（ａ）のように、気流経路Ｐｔのうち、映像装置２０より下流側の位置に設けられる。筐体１０１は、当該筐体１０１に対しフィルターボックスＦＬＢｕが着脱自在なように構成される。
【００５９】
具体的には、筐体１０１の上部には、図１のように、３つの開口Ｈ２２が設けられる。各開口Ｈ２２の形状は、矩形状である。なお、筐体１０１に設けられる開口Ｈ２２の数は、３に限定されず、１、２または４以上であってもよい。また、筐体１０１に設けられるフィルターボックスＦＬＢｕの数は、筐体１０１に設けられる開口Ｈ２２の数と同じである。すなわち、筐体１０１に設けられるフィルターボックスＦＬＢｕの数は、３に限定されず、１、２または４以上であってもよい。
【００６０】
ＸＺ面におけるフィルターボックスＦＬＢｕのサイズは、ＸＺ面における開口Ｈ２２のサイズより小さい。また、フィルターボックスＦＬＢｕは、３つの開口Ｈ２２のいずれかを通過可能な位置に設けられる。例えば、図２のフィルターボックスＦＬＢｕは、図１の３つの開口Ｈ２２のうち、中央の開口Ｈ２２を通過可能なように、筐体１０１に設けられる。そのため、フィルターボックスＦＬＢｕは、開口Ｈ２２を通過して、Ｙ軸方向へ移動可能である。以上により、筐体１０１は、当該筐体１０１に対しフィルターボックスＦＬＢｕが着脱自在なように構成される。
【００６１】
次に、フィルターボックスＦＬＢｕの構成について説明する。図４（ａ）および図４（ｂ）を参照して、フィルターボックスＦＬＢｕは、フィルターＦＬ１と、磁力部材ＭＧ１０と、磁性体３２，３４と、ケースＣｆ２とを含む。
【００６２】
ケースＣｆ２は、フィルターＦＬ１と、磁力部材ＭＧ１０と、磁性体３２，３４とを収容するケース（外郭）である。ケースＣｆ２は、フィルターボックスＦＬＢｕの外側面に相当する。
【００６３】
フィルターボックスＦＬＢｕに含まれるフィルターＦＬ１および磁性体３２，３４の構成および機能は、図３のフィルターボックスＦＬＢｂに含まれるフィルターＦＬ１および磁性体３２，３４の構成および機能と同じであるので詳細な説明は繰り返さない。以下、簡単に説明する。
【００６４】
フィルターＦＬ１は、前述したように、気流経路Ｐｔを通過する風Ｗｄ１に対してフィルターとして機能する。
【００６５】
以下においては、フィルターボックスＦＬＢｕに含まれる磁力部材ＭＧ１０を、「磁力部材ＭＧ１０ｕ」ともいう。磁力部材ＭＧ１０ｕは、フィルターボックスＦＬＢｂに含まれる磁力部材ＭＧ１０と同じ構成および機能を有する。
【００６６】
磁力部材ＭＧ１０ｕは、磁力を有する部材である。磁力部材ＭＧ１０ｕは、ケースＣｆ２の内部に設けられる。すなわち、磁力部材ＭＧ１０ｕは、フィルターボックスＦＬＢｕの内部に設けられる。前述したように、フィルターボックスＦＬＢｕは、気流経路Ｐｔのうち、映像装置２０より下流側の位置に設けられる。そのため、フィルターボックスＦＬＢｕの磁力部材ＭＧ１０ｕは、筐体１０１の内部において、気流経路Ｐｔのうち、映像装置２０より下流側の位置に設けられる。
【００６７】
磁力部材ＭＧ１０ｕは、磁力シートＭＧ１１と、磁力シートＭＧ１２とから構成される。以下においては、磁力部材ＭＧ１０ｕに含まれる磁力シートＭＧ１１を、「磁力シートＭＧ１１ｕ」ともいう。磁力部材ＭＧ１０ｕに含まれる磁力シートＭＧ１２を、「磁力シートＭＧ１２ｕ」ともいう。
【００６８】
なお、磁力シートＭＧ１１ｕの構成および形状は、図３の磁力部材ＭＧ１０に含まれる磁力シートＭＧ１１と同様であるので詳細な説明は繰り返さない。また、磁力シートＭＧ１２ｕの構成および形状は、図３の磁力部材ＭＧ１０に含まれる磁力シートＭＧ１２と同様であるので詳細な説明は繰り返さない。
【００６９】
以下、磁力シートＭＧ１１ｕおよび磁力シートＭＧ１２ｕについて簡単に説明する。磁力シートＭＧ１１ｕ，ＭＧ１２ｕの各々の形状は、シート状（板状）である。
【００７０】
磁力シートＭＧ１１ｕおよび磁力シートＭＧ１２ｕは、ケースＣｆ２の内部において、間隔をあけて設けられる。前述したように、フィルターボックスＦＬＢｕは、気流経路Ｐｔに設けられる。そのため、磁力シートＭＧ１１ｕおよび磁力シートＭＧ１２ｕは、間隔をあけて、気流経路Ｐｔに設けられる。
【００７１】
磁力シートＭＧ１１ｕには、風Ｗｄ１が通過するための、複数の開口Ｈｍ１（スリット）が設けられる。各開口Ｈｍ１の形状は、長尺状である。
【００７２】
磁力シートＭＧ１２ｕには、風Ｗｄ１が通過するための、複数の開口Ｈｍ２（スリット）が設けられる。各開口Ｈｍ２の形状は、長尺状である。
【００７３】
また、磁力シートＭＧ１１ｕ，ＭＧ１２ｕは、平面視（ＸＹ面）において、開口Ｈｍ１と開口Ｈｍ２とが交差するように、設けられる。すなわち、平面視（ＸＹ面）において、開口Ｈｍ１および開口Ｈｍ２は、格子状に設けられる。つまり、平面視（ＸＹ面）において、開口Ｈｍ１の長辺と、開口Ｈｍ２の長辺とは交差する。
【００７４】
磁性体３２，３４の各々の形状は、前述したように、シート状（板状）である。磁性体３２には、前述したように、風Ｗｄ１が通過するための、複数の開口Ｈｎ１（スリット）が設けられる。各開口Ｈｎ１の形状は、長尺状である。磁性体３４には、前述したように、風Ｗｄ１が通過するための、複数の開口Ｈｎ２（スリット）が設けられる。各開口Ｈｎ２の形状は、長尺状である。
【００７５】
また、前述したように、平面視（ＸＹ面）において、開口Ｈｍ１は、開口Ｈｎ１より小さい。前述したように、平面視（ＸＹ面）において、開口Ｈｍ２は、開口Ｈｎ２より小さい。
【００７６】
磁力シートＭＧ１１ｕには、当該磁力シートＭＧ１１ｕの磁力により、磁性体３２が貼り付けられる。また、風Ｗｄ１が、開口Ｈｍ１および開口Ｈｎ１の両方を通過可能なように、磁力シートＭＧ１１ｕには磁性体３２が貼り付けられる。すなわち、開口Ｈｍ１全体と、開口Ｈｎ１全体とがふさがれないように、磁力シートＭＧ１１ｕには磁性体３２が貼り付けられる。なお、磁力シートＭＧ１１ｕは、気流経路Ｐｔのうち、当該磁性体３２より下流側の位置に設けられる。
【００７７】
磁力シートＭＧ１２ｕには、当該磁力シートＭＧ１２ｕの磁力により、磁性体３４が貼り付けられる。また、風Ｗｄ１が、開口Ｈｍ２および開口Ｈｎ２の両方を通過可能なように、磁力シートＭＧ１２ｕには磁性体３４が貼り付けられる。すなわち、開口Ｈｍ２全体と、開口Ｈｎ２全体とがふさがれないように、磁力シートＭＧ１２ｕには磁性体３４が貼り付けられる。なお、磁力シートＭＧ１２ｕは、気流経路Ｐｔのうち、当該磁性体３４より下流側の位置に設けられる。
【００７８】
また、筐体１０１の内部には、風Ｗｄ１が通過する空間ＳＰ２が設けられる。すなわち、空間ＳＰ２は、風Ｗｄ１が通過する風路である。以下においては、空間ＳＰ２を通過する風を、「風Ｗｄｕ」ともいう。風Ｗｄｕは、例えば、風Ｗｄ１である。
【００７９】
以下においては、開口Ｈ１２から筐体１０１の内部に向かう風を、「風Ｗｄ１ｒ」ともいう。風Ｗｄ１ｒは、例えば、開口Ｈ１２の周辺の気圧の変化により発生する。開口Ｈ１２の周辺の気圧の変化した場合、風Ｗｄｕは、風Ｗｄ１ｒである場合がある。したがって、風Ｗｄｕは、風Ｗｄ１または風Ｗｄ１ｒである。
【００８０】
空間ＳＰ２は、気流経路Ｐｔのうち、磁力部材ＭＧ１０ｕより下流側の位置に設けられる。
【００８１】
空間ＳＰ２は、当該空間Ｓ２を通過する風Ｗｄｕの速度を低下させるように構成される。前述したように、風Ｗｄｕは、風Ｗｄ１または風Ｗｄ１ｒである。空間ＳＰ２には、プレートＰＬ１ｕ，ＰＬ２ｕが設けられる。プレートＰＬ１ｕは、風Ｗｄｕの一部が接触するように設けられる。プレートＰＬ２ｕは、風Ｗｄｕの別の一部が接触するように設けられる。すなわち、空間ＳＰ２には、風Ｗｄｕの一部が接触するプレートＰＬ１ｕと、風Ｗｄｕの別の一部が接触するプレートＰＬ２ｕが設けられる。また、平面視（ＸＹ面）において、プレートＰＬ１ｕおよびプレートＰＬ２ｕは、対向するように設けられる。
【００８２】
以上説明したように、本実施の形態によれば、開口Ｈ１１および開口Ｈ１２は、映像装置２０を冷却するための風Ｗｄ１が、開口Ｈ１１、筐体１０１の内部、および、開口Ｈ１２の順で通過するように、筐体１０１に設けられる。磁力を有する磁力部材ＭＧ１０は、筐体１０１の内部において、風Ｗｄ１が通過する気流経路Ｐｔのうち、映像装置２０より上流側の位置に設けられる。
【００８３】
これにより、仮に、開口Ｈ１１から、筐体１０１の内部に鉄粉が侵入したとしても、映像装置２０に、鉄（鉄粉）が付着することを抑制することができる。したがって、筐体１０１内の映像装置２０（電気回路）が、鉄粉により故障することを抑制することができる。
【００８４】
なお、例えば、地下鉄のプラットホームでは、電車の発車、停車、通過等による、筐体１０１周辺の気圧の変化により、前述の風Ｗｄ１ｒが発生し、粉塵が、排気用の開口Ｈ１２から、筐体１０１の内部に侵入する可能性がある。
【００８５】
そこで、本実施の形態では、筐体１０１のうち吸気用の開口Ｈ１１側の部分にフィルターボックスＦＬＢｂが設けられ、筐体１０１のうち排気用の開口Ｈ１２側の部分にフィルターボックスＦＬＢｕが設けられる。そのため、排気用の開口Ｈ１２から侵入する粉塵が、映像装置２０に到達することを大幅に抑制することができる。したがって、本実施の形態では、気圧の変化が大きい環境に存在する鉄粉により、映像装置が故障することを、防止または大幅に抑制することができる。
【００８６】
また、前述の、筐体１０１周辺で発生する気圧の変化は、負圧および正圧の両方の場合もある。この場合、以下の状況Ｓｔ１が発生する。当該状況Ｓｔ１は、筐体１０１に外気が侵入する状況と、筐体１０１から空気が排出される状況との両方が発生する状況である。
【００８７】
本実施の形態では、筐体１０１のうち吸気用の開口Ｈ１１側の部分に空間ＳＰ１が設けられ、筐体１０１のうち排気用の開口Ｈ１２側の部分にフィルターボックスＦＬＢｕが設けられる。なお、空間ＳＰ１，ＳＰ２の各々は、前述したように、風の速度を低下させるように構成される。
【００８８】
したがって、上記状況Ｓｔ１が発生した場合においても、フィルターボックスＦＬＢｂ，ＦＬＢｕに侵入する風の速度を低下させることができる。そのため、当該風に含まれる鉄粉の移動速度を低下することができる。したがって、当該鉄粉を、磁力シートＭＧ１１、磁力シートＭＧ１１ｕ等に吸着し易くすることができる。すなわち、状況Ｓｔ１が発生した場合においても、鉄粉が、映像装置２０に到達することを防止または抑制することができる。その結果、映像装置２０に、鉄粉が付着することを防止または抑制することができる。したがって、筐体１０１内の映像装置２０が、鉄粉により故障することを防止または抑制することができる。
【００８９】
また、本実施の形態では、磁力シートＭＧ１１には磁性体３２が貼り付けられる。また、磁力シートＭＧ１２には磁性体３４が貼り付けられる。これにより、磁力シートＭＧ１１，ＭＧ１２の磁力に関わる磁場を大きくすることができる。したがって、筐体１０１の内部に侵入した鉄粉（例えば、フィルターＦＬ１を通過した鉄粉）を、磁力シートＭＧ１１，ＭＧ１２等に、確実に吸着することができる。
【００９０】
また、本実施の形態では、磁力シートＭＧ１１ｕには磁性体３２が貼り付けられる。また、磁力シートＭＧ１２ｕには磁性体３４が貼り付けられる。これにより、磁力シートＭＧ１１ｕ，ＭＧ１２ｕの磁力に関わる磁場を大きくすることができる。したがって、磁力シートＭＧ１１，ＭＧ１２と同様に、例えば、フィルターＦＬ１を通過した鉄粉を、磁力シートＭＧ１１ｕ，ＭＧ１２ｕ等に、確実に吸着することができる。
【００９１】
また、本実施の形態では、磁力シートＭＧ１１および磁力シートＭＧ１２は、間隔をあけて、気流経路Ｐｔに設けられる。そのため、磁力シートＭＧ１１の磁力と、磁力シートＭＧ１２の磁力とが互いに影響することを抑制することができる。また、磁力シートＭＧ１１ｕおよび磁力シートＭＧ１２ｕは、間隔をあけて、気流経路Ｐｔに設けられる。そのため、磁力シートＭＧ１１ｕの磁力と、磁力シートＭＧ１２ｕの磁力とが互いに影響することを抑制することができる。また、磁力シートＭＧ１１および磁力シートＭＧ１２により、２つの層が形成されるため、鉄粉などの磁性体の吸着性能を向上させることができる。
【００９２】
また、本実施の形態では、磁力シートＭＧ１１，ＭＧ１２は、平面視（ＸＹ面）において、開口Ｈｍ１と開口Ｈｍ２とが交差するように、設けられる。これにより、平面視（ＸＹ面）における、鉄粉等が通過する経路を狭くすることができる。したがって、鉄粉を、磁力シートＭＧ１１，ＭＧ１２等に、確実に吸着することができる。
【００９３】
また、磁力シートＭＧ１１ｕ，ＭＧ１２ｕは、平面視（ＸＹ面）において、開口Ｈｍ１と開口Ｈｍ２とが交差するように、設けられる。したがって、上記と同様に、鉄粉を、磁力シートＭＧ１１ｕ，ＭＧ１２ｕ等に、確実に吸着することができる。
【００９４】
また、本実施の形態では、筐体１０１は、当該筐体１０１に対しフィルターボックスＦＬＢｂが着脱自在なように構成される。また、筐体１０１は、当該筐体１０１に対しフィルターボックスＦＬＢｕが着脱自在なように構成される。磁力シートＭＧ１１，ＭＧ１２，ＭＧ１１ｕ，ＭＧ１２ｕの形状はシート状である。
【００９５】
したがって、フィルターボックスＦＬＢｂ，ＦＬＢｕに含まれる磁力シート（例えば、磁力シートＭＧ１１）の交換を容易に行うことができる。すなわち、フィルターボックスＦＬＢｂ，ＦＬＢｕのメンテナンスを容易に行うことができる。
【００９６】
なお、前述の関連技術Ａは、乗客コンベア（エスカレーター）を制御する制御盤における防塵のための技術である。乗客コンベアも、前述の過酷な環境に配置される場合がある。この場合、微細な鉄粉が、制御盤の防塵フィルターをすり抜けて、当該制御盤の内部に侵入する場合がある。この場合、制御盤内の電気部品に鉄粉が付着したり、鉄粉が、電気回路が存在する基板上に堆積することにより、当該電気回路が故障するという問題が発生する。
【００９７】
また、地下鉄道等のプラットホームでは、電車がレールを走行することにより発生する鉄粉が浮遊しており、電車の停止時、発車時または通過時に、前述の大型映像装置の周辺の気圧が大きく変化する。そのため、冷却のために設けられた排気口または吸気口の近傍に設けられた冷却ファンの吸排気の性能を超える、気圧の変化が発生した場合、以下の問題が発生する。当該問題は、冷却ファンの近傍の排気口または吸気口から、大型映像装置の筐体の内部に、鉄粉を含む粉塵が侵入するという問題である。
【００９８】
そこで、本実施の形態の筐体１０１は上記のように構成される。そのため、本実施の形態における、当該筐体１０１の構成により、上記の各問題を解決することができる。
【００９９】
＜実施の形態２＞
本実施の形態の構成は、磁力シートおよび磁性体に設けられる開口の形状を円とした構成（以下、「変形構成Ａ１」ともいう）である。以下においては、変形構成Ａ１を適用した映像表示システムを、「映像表示システム１００Ａ」ともいう。また、以下においては、変形構成Ａ１を適用したフィルターボックスを、「フィルターボックスＦＬＢｂＡ」および「フィルターボックスＦＬＢｕＡ」ともいう。
【０１００】
映像表示システム１００Ａは、映像表示システム１００と比較して、フィルターボックスＦＬＢｂの代わりにフィルターボックスＦＬＢｂＡを含む点と、フィルターボックスＦＬＢｕの代わりにフィルターボックスＦＬＢｕＡを含む点とが異なる。映像表示システム１００Ａのそれ以外の構成は、映像表示システム１００と同様なので詳細な説明は繰り返さない。
【０１０１】
図５は、本発明の実施の形態２に係るフィルターボックスＦＬＢｂＡの構成を説明するための図である。図５（ａ）は、フィルターボックスＦＬＢｂＡを拡大して示す図である。図５（ａ）は、図３（ａ）の構成が設けられる位置と同じ位置における映像表示システム１００Ａの構成を示す。すなわち、図５（ａ）は、変形構成Ａ１が適用された、図２の領域Ｒ１を拡大した図である。
【０１０２】
フィルターボックスＦＬＢｂＡは、図３のフィルターボックスＦＬＢｂと比較して、磁力部材ＭＧ１０の代わりに磁力部材ＭＧ１０Ａを含む点と、磁性体３２の代わりに磁性体３２Ａを含む点と、磁性体３４の代わりに磁性体３４Ａを含む点とが異なる。フィルターボックスＦＬＢｂＡのそれ以外の構成は、フィルターボックスＦＬＢｂと同様なので詳細な説明は繰り返さない。以下、主に、フィルターボックスＦＬＢｂＡの特徴的な点を説明する。
【０１０３】
フィルターボックスＦＬＢｂＡは、気流経路Ｐｔに設けられる。フィルターボックスＦＬＢｂＡは、気流経路Ｐｔを通過する風Ｗｄ１に対してフィルターとして機能する。
【０１０４】
フィルターボックスＦＬＢｂＡは、図５（ａ）のように、気流経路Ｐｔのうち、映像装置２０より上流側の位置に設けられる。筐体１０１は、当該筐体１０１に対しフィルターボックスＦＬＢｂＡが着脱自在なように構成される。
【０１０５】
フィルターボックスＦＬＢｂＡのケースＣｆ１は、フィルターＦＬ１と、磁力部材ＭＧ１０Ａと、磁性体３２Ａ，３４Ａとを収容する。すなわち、磁力部材ＭＧ１０Ａは、フィルターボックスＦＬＢｂＡの内部に設けられる。前述したように、フィルターボックスＦＬＢｂＡは、気流経路Ｐｔのうち、映像装置２０より上流側の位置に設けられる。そのため、フィルターボックスＦＬＢｂＡの磁力部材ＭＧ１０Ａは、筐体１０１の内部において、気流経路Ｐｔのうち、映像装置２０より上流側の位置に設けられる。
【０１０６】
磁力部材ＭＧ１０Ａは、磁力部材ＭＧ１０と比較して、磁力シートＭＧ１１の代わりに磁力シートＭＧ１１Ａを含む点と、磁力シートＭＧ１２の代わりに磁力シートＭＧ１２Ａを含む点とが異なる。磁力部材ＭＧ１０Ａのそれ以外の構成および機能は、磁力部材ＭＧ１０と同様なので詳細な説明は繰り返さない。すなわち、磁力部材ＭＧ１０Ａは、磁力シートＭＧ１１Ａと、磁力シートＭＧ１２Ａとから構成される。
【０１０７】
磁力シートＭＧ１１Ａは、磁力シートＭＧ１１と比較して、開口Ｈｍ１の形状が、長尺状の代わりに円である点が異なる。磁力シートＭＧ１１Ａのそれ以外の構成および機能は、磁力シートＭＧ１１と同様なので詳細な説明は繰り返さない。
【０１０８】
磁力シートＭＧ１１Ａには、複数の開口Ｈｍ１が設けられる。変形構成Ａ１における各開口Ｈｍ１の形状は、円である。なお、磁力シートＭＧ１１Ａに設けられる開口Ｈｍ１の数は、１であってもよい。以下においては、変形構成Ａ１における開口Ｈｍ１の直径を、「直径Ｄｍ１」または「Ｄｍ１」ともいう。
【０１０９】
磁力シートＭＧ１２Ａは、磁力シートＭＧ１２と比較して、開口Ｈｍ２の形状が、長尺状の代わりに円である点が異なる。磁力シートＭＧ１２Ａのそれ以外の構成および機能は、磁力シートＭＧ１２と同様なので詳細な説明は繰り返さない。
【０１１０】
磁力シートＭＧ１２Ａには、複数の開口Ｈｍ２が設けられる。変形構成Ａ１における各開口Ｈｍ２の形状は、円である。なお、磁力シートＭＧ１２Ａに設けられる開口Ｈｍ１の数は、１であってもよい。以下においては、変形構成Ａ１における開口Ｈｍ２の直径を、「直径Ｄｍ２」または「Ｄｍ２」ともいう。
【０１１１】
磁力シートＭＧ１１Ａおよび磁力シートＭＧ１２Ａは、ケースＣｆ１の内部において、間隔をあけて設けられる。前述したように、フィルターボックスＦＬＢｂＡは、気流経路Ｐｔに設けられる。そのため、磁力シートＭＧ１１Ａおよび磁力シートＭＧ１２Ａは、間隔をあけて、気流経路Ｐｔに設けられる。
【０１１２】
磁性体３２Ａは、磁性体３２と比較して、開口Ｈｎ１の形状が、長尺状の代わりに円である点が異なる。磁性体３２Ａそれ以外の構成および機能は、磁性体３２と同様なので詳細な説明は繰り返さない。
【０１１３】
磁性体３２Ａには、複数の開口Ｈｎ１が設けられる。変形構成Ａ１における各開口Ｈｎ１の形状は、円である。なお、磁性体３２Ａに設けられる開口Ｈｎ１の数は、１であってもよい。以下においては、変形構成Ａ１における開口Ｈｎ１の直径を、「直径Ｄｎ１」または「Ｄｎ１」ともいう。
【０１１４】
磁性体３４Ａは、磁性体３４と比較して、開口Ｈｎ２の形状が、長尺状の代わりに円である点が異なる。磁性体３４Ａそれ以外の構成および機能は、磁性体３４と同様なので詳細な説明は繰り返さない。
【０１１５】
磁性体３４Ａには、複数の開口Ｈｎ２が設けられる。変形構成Ａ１における各開口Ｈｎ２の形状は、円である。なお、磁性体３４Ａに設けられる開口Ｈｎ２の数は、１であってもよい。以下においては、変形構成Ａ１における開口Ｈｎ２の直径を、「直径Ｄｎ２」または「Ｄｎ２」ともいう。
【０１１６】
変形構成Ａ１では、開口Ｈｍ１，Ｈｍ２，Ｈｎ１，Ｈｎ２は、Ｄｍ１＜Ｄｎ１およびＤｍ２＜Ｄｎ２が成立するように、構成される。すなわち、変形構成Ａ１では、平面視（ＸＹ面）において、開口Ｈｍ１は、開口Ｈｎ１より小さい。また、変形構成Ａ１では、平面視（ＸＹ面）において、開口Ｈｍ２は、開口Ｈｎ２より小さい。
【０１１７】
また、変形構成Ａ１では、風Ｗｄ１が、開口Ｈｍ１および開口Ｈｎ１の両方を通過可能なように、磁力シートＭＧ１１Ａには磁性体３２Ａが貼り付けられる。また、風Ｗｄ１が、開口Ｈｍ２および開口Ｈｎ２の両方を通過可能なように、磁力シートＭＧ１２Ａには磁性体３４Ａが貼り付けられる。
【０１１８】
次に、変形構成Ａ１におけるフィルターボックスＦＬＢｕＡ（図示せず）について説明する。フィルターボックスＦＬＢｕＡは、図４のフィルターボックスＦＬＢｕと比較して、磁力部材ＭＧ１０の代わりに磁力部材ＭＧ１０Ａを含む点と、磁性体３２の代わりに磁性体３２Ａを含む点と、磁性体３４の代わりに磁性体３４Ａを含む点とが異なる。フィルターボックスＦＬＢｕＡのそれ以外の構成は、フィルターボックスＦＬＢｕと同様なので詳細な説明は繰り返さない。
【０１１９】
以下、主に、フィルターボックスＦＬＢｕＡの特徴的な点を説明する。以下においては、フィルターボックスＦＬＢｕＡに含まれる磁力部材ＭＧ１０Ａを、「磁力部材ＭＧ１０Ａｕ」ともいう。
【０１２０】
磁力部材ＭＧ１０Ａｕは、磁力シートＭＧ１１Ａと、磁力シートＭＧ１２Ａとから構成される。以下においては、磁力部材ＭＧ１０Ａｕに含まれる磁力シートＭＧ１１Ａを、「磁力シートＭＧ１１Ａｕ」ともいう。また、以下においては、磁力部材ＭＧ１０Ａｕに含まれる磁力シートＭＧ１２Ａを、「磁力シートＭＧ１２Ａｕ」ともいう。
【０１２１】
なお、磁力シートＭＧ１１Ａｕの構成および形状は、図５の磁力シートＭＧ１１Ａと同様であるので詳細な説明は繰り返さない。また、磁力シートＭＧ１２Ａｕの構成および形状は、図５の磁力シートＭＧ１２Ａと同様であるので詳細な説明は繰り返さない。
【０１２２】
以下、磁力シートＭＧ１１Ａｕおよび磁力シートＭＧ１２Ａｕについて簡単に説明する。磁力シートＭＧ１１Ａｕ，ＭＧ１２Ａｕの各々の形状は、シート状（板状）である。
【０１２３】
磁力シートＭＧ１１Ａｕおよび磁力シートＭＧ１２Ａｕは、ケースＣｆ２の内部において、間隔をあけて設けられる。フィルターボックスＦＬＢｕＡは、気流経路Ｐｔに設けられる。そのため、磁力シートＭＧ１１Ａｕおよび磁力シートＭＧ１２Ａｕは、間隔をあけて、気流経路Ｐｔに設けられる。
【０１２４】
磁力シートＭＧ１１Ａｕには、複数の開口Ｈｍ１が設けられる。変形構成Ａ１における各開口Ｈｍ１の形状は、円である。なお、磁力シートＭＧ１１Ａｕに設けられる開口Ｈｍ１の数は、１であってもよい。
【０１２５】
磁力シートＭＧ１２Ａｕには、複数の開口Ｈｍ２が設けられる。変形構成Ａ１における各開口Ｈｍ２の形状は、円である。なお、磁力シートＭＧ１２Ａｕに設けられる開口Ｈｍ１の数は、１であってもよい。
【０１２６】
また、変形構成Ａ１では、磁性体３２Ａに設けられる開口Ｈｎ１の形状は、円である。また、変形構成Ａ１では、磁性体３４Ａに設けられる開口Ｈｎ２の形状は、円である。
【０１２７】
変形構成Ａ１では、前述したように、開口Ｈｍ１，Ｈｍ２，Ｈｎ１，Ｈｎ２は、Ｄｍ１＜Ｄｎ１およびＤｍ２＜Ｄｎ２が成立するように、構成される。すなわち、変形構成Ａ１のフィルターボックスＦＬＢｕＡでは、平面視（ＸＹ面）において、開口Ｈｍ１は、開口Ｈｎ１より小さい。また、変形構成Ａ１のフィルターボックスＦＬＢｕＡでは、平面視（ＸＹ面）において、開口Ｈｍ２は、開口Ｈｎ２より小さい。
【０１２８】
また、変形構成Ａ１のフィルターボックスＦＬＢｕＡでは、風Ｗｄ１が、開口Ｈｍ１および開口Ｈｎ１の両方を通過可能なように、磁力シートＭＧ１１Ａｕには磁性体３２Ａが貼り付けられる。また、風Ｗｄ１が、開口Ｈｍ２および開口Ｈｎ２の両方を通過可能なように、磁力シートＭＧ１２Ａｕには磁性体３４Ａが貼り付けられる。
【０１２９】
以上説明したように、本実施の形態においても、実施の形態１と同様な効果が得られる。すなわち、仮に、開口Ｈ１１から、筐体１０１の内部に鉄粉が侵入したとしても、映像装置２０に、鉄（鉄粉）が付着することを抑制することができる。したがって、筐体１０１内の映像装置２０（電気回路）が、鉄粉により故障することを抑制することができる。
【０１３０】
また、本実施の形態では、磁力シートＭＧ１１Ａには磁性体３２Ａが貼り付けられる。また、磁力シートＭＧ１２Ａには磁性体３４が貼り付けられる。これにより、磁力シートＭＧ１１Ａ，ＭＧ１２Ａの各々を固定するとともに、磁力シートＭＧ１１Ａ，ＭＧ１２Ａの磁力に関わる磁場を大きくすることができる。したがって、筐体１０１の内部に侵入した鉄粉（例えば、フィルターＦＬ１を通過した鉄粉）を、磁力シートＭＧ１１Ａ，ＭＧ１２Ａ等に、確実に吸着することができる。
【０１３１】
また、本実施の形態では、開口Ｈｍ１，Ｈｍ２，Ｈｎ１，Ｈｎ２は、Ｄｍ１＜Ｄｎ１およびＤｍ２＜Ｄｎ２が成立するように、構成される。すなわち、変形構成Ａ１では、平面視（ＸＹ面）において、開口Ｈｍ１は、開口Ｈｎ１より小さい。また、変形構成Ａ１では、平面視（ＸＹ面）において、開口Ｈｍ２は、開口Ｈｎ２より小さい。そのため、磁力シートＭＧ１１Ａの開口Ｈｍ１、および、磁力シートＭＧ１２Ａの開口Ｈｍ２に、鉄粉が触れ易くなる。すなわち、磁力シートＭＧ１１Ａ，ＭＧ１２Ａ等に、鉄粉をより確実に吸着することができる。
【０１３２】
また、本実施の形態では、磁力シートＭＧ１１Ａおよび磁力シートＭＧ１２Ａは、間隔をあけて、気流経路Ｐｔに設けられる。そのため、磁力シートＭＧ１１Ａの磁力と、磁力シートＭＧ１２Ａの磁力とが互いに影響することを抑制することができる。また、磁力シートＭＧ１１Ａｕおよび磁力シートＭＧ１２Ａｕは、間隔をあけて、気流経路Ｐｔに設けられる。そのため、磁力シートＭＧ１１Ａｕの磁力と、磁力シートＭＧ１２Ａｕの磁力とが互いに影響することを抑制することができる。また、磁力シートＭＧ１１Ａおよび磁力シートＭＧ１２Ａにより、２つの層が形成されるため、鉄粉などの磁性体の吸着性能を向上させることができる。
【０１３３】
なお、本発明は、その発明の範囲内において、各実施の形態を自由に組み合わせたり、各実施の形態を適宜、変形、省略することが可能である。
【符号の説明】
【０１３４】
２０  映像装置、３２，３２Ａ，３４，３４Ａ  磁性体、１００，１００Ａ  映像表示システム、１０１  筐体、ＦＬＢｂ，ＦＬＢｂＡ，ＦＬＢｕ  フィルターボックス、Ｈ１１，Ｈ１２，Ｈ２１，Ｈ２２，Ｈｍ１，Ｈｎ１  開口、ＭＧ１０，ＭＧ１０Ａ，ＭＧ１０ｕ  磁力部材、ＭＧ１１，ＭＧ１１Ａ，ＭＧ１１ｕ，ＭＧ１２，ＭＧ１２Ａ，ＭＧ１２ｕ  磁力シート、ＰＬ１，ＰＬ１ｕ，ＰＬ２，ＰＬ２ｕ  プレート、ＳＰ１，ＳＰ２  空間。
【図１】
2017021141.tif 000003
【図２】
2017021141.tif 000004
【図３】
2017021141.tif 000005
【図４】
2017021141.tif 000006
【図５】
2017021141.tif 000007